(57)【要約】  本発明は、ケラチン物質、特にケラチン繊維、とりわけ睫毛、眉毛、および/または毛繊維用の化粧製品(P)のアプリケータ(10)であって、縦軸(X)に沿って延びるコア(40)と、多孔質材料(47)の少なくとも1つのブロック(46)と、コア(40)から延び、多孔質材料(47)を少なくとも部分的に通過する突出要素(48)と、を備える、アプリケータに関する。
2020536681.tif 000002
【特許請求の範囲】
【請求項１】
ケラチン物質、特にケラチン繊維、とりわけ睫毛、眉毛、および/または毛繊維用の化粧製品(P)のアプリケータ(10)であって、
-  縦軸(X)に沿って延びるコア(40)と、
-  多孔質材料(47)の少なくとも1つのブロック(46)と、
-  前記コア(40)から延び、前記多孔質材料(47)を少なくとも部分的に通過する突出要素(48)と、
を備える、アプリケータ。
【請求項２】
前記コア(40)が、とりわけ射出成形によって、少なくとも部分的にポリマー材料で作られる、請求項1に記載のアプリケータ。
【請求項３】
前記突出要素(48)の少なくとも一部が、とりわけ前記コア(40)とともに射出成形によって、ポリマー材料で製造される、請求項2に記載のアプリケータ。
【請求項４】
前記コアが、互いにより合わせられた2本のアーム、とりわけ金属アームと、前記アーム間に把持された繊維(55)を形成する前記突出要素(48)の少なくとも一部とを備える、請求項1に記載のアプリケータ。
【請求項５】
前記多孔質材料(47)が、少なくとも45°から360°の間の角度範囲、とりわけ90°から360°の角度範囲にわたる断面で前記コアを囲む、請求項1から4のいずれか一項に記載のアプリケータ。
【請求項６】
前記コア(40)が、支持部を形成し、前記多孔質材料(47)が、前記コア(40)の1つの面(45)を少なくとも部分的に覆う、請求項1から5のいずれか一項に記載のアプリケータ。
【請求項７】
前記多孔質材料を通過しない追加の突出要素(58)を備える、請求項1から6のいずれか一項に記載のアプリケータ。
【請求項８】
前記コア(40)から測定した、前記突出要素(48)の高さ(h)が、前記コアから測定した、多孔質材料(47)の前記少なくとも1つのブロック(46)の厚さ(e)以上である、請求項1から7のいずれか一項に記載のアプリケータ。
【請求項９】
前記コア(40)から測定した、前記突出要素(48)の高さ(h)が、1mmから10mmの間、より良くは約2mmから6mmの間である、請求項1から8のいずれか一項に記載のアプリケータ。
【請求項１０】
多孔質材料(47)の前記少なくとも1つのブロック(46)の前記コア(40)から測定した厚さ(e)が、0.5mmから8mmの間、より良くは約1mmから5mmの間である、請求項1から9のいずれか一項に記載のアプリケータ。
【請求項１１】
前記多孔質材料(47)が気泡質である、請求項1から10のいずれか一項に記載のアプリケータ。
【請求項１２】
前記多孔質材料(47)が、発泡体、とりわけポリマー発泡体、特に開放気孔のあるポリマー発泡体、半開放気孔のあるポリマー発泡体、または閉鎖気孔のあるポリマー発泡体から選択される、請求項1から11のいずれか一項に記載のアプリケータ。
【請求項１３】
前記ポリマー発泡体が、特に架橋熱可塑性ポリマー、とりわけ架橋ポリウレタン、架橋ポリエーテル、架橋ポリエステル、または架橋ポリエチレンの、架橋ポリマー発泡体から選択される、請求項12に記載のアプリケータ。
【請求項１４】
前記多孔質材料(47)を構成する単位長さ当たりの発泡セル(49)の数(PPI)が、10PPIから80PPIの間、より良くは20PPIから50PPIの間であり、さらに良くは30PPIにほぼ等しい、請求項12または13に記載のアプリケータ。
【請求項１５】
前記多孔質材料(47)の密度が、15kg/m3から60kg/m3の間、より良くは20kg/m3から40kg/m3の間であり、さらに良くは約30kg/m3に等しい、請求項1から14のいずれか一項に記載のアプリケータ。
【請求項１６】
多孔質材料(47)の前記ブロック(46)が、前記コア(40)に取り付けられる、請求項1から15のいずれか一項に記載のアプリケータ。
【請求項１７】
多孔質材料(47)の前記ブロック(46)が前記コア(40)に取り付けられるやり方が、接着、溶接、オーバーモールド、および機械的接合から選択される、請求項16に記載のアプリケータ。
【請求項１８】
前記多孔質材料(47)が、多孔質材料(47)の前記ブロック(46)が滑り込む遠位部分(80)を有するコア(40)を用いて取り付けられ、前記遠位部分(80)が、フィルムヒンジなどの関節接合(83)によって前記コア(40)の近位部分(82)に接続され、前記遠位部分(80)が次いで、前記近位部分(82)の上に折り畳まれ、相補的レリーフ(84、85)が前記遠位部分(80)を前記近位部分(82)の上に維持し、前記遠位部分(80)の後部に前記突出要素(48)が設けられている、請求項1から17のいずれか一項に記載のアプリケータ。
【請求項１９】
ステム(5)を備え、前記コア(40)が前記ステム(5)に取り付けられる、請求項1から18のいずれか一項に記載のアプリケータ。
【請求項２０】
睫毛および/または眉毛、および/または毛繊維に化粧製品(P)をパッケージングおよび塗布するためのデバイス(1)であって、
-  請求項1から19のいずれか一項に記載のアプリケータ(10)と、
-  塗布される前記化粧製品(P)を収容する容器(2)と、
を備えるデバイス。
【請求項２１】
前記アプリケータがステムを備え、前記コア(40)が前記ステム(5)に取り付けられ、前記アプリケータ(10)の前記ステム(5)が、前記容器(2)を閉じるキャップ(11)に固定される、請求項20に記載のデバイス。
【請求項２２】
前記容器(2)が、前記アプリケータ(10)が前記容器(2)から引き出されるとき、少なくとも前記突出要素(48)および/または前記多孔質材料(47)を拭うための拭い取り部材(20)を備える、請求項21に記載のデバイス。
【発明の詳細な説明】
【技術分野】
【０００１】
本発明は、ケラチン物質、特にケラチン繊維に、とりわけ睫毛、眉毛、および/または毛繊維(capillary fibre)に化粧製品を塗布するためのアプリケータに関し、そのようなアプリケータを含むパッケージングおよび塗布デバイス、ならびに塗布される製品を収容する容器にも関する。
【背景技術】
【０００２】
従来技術の欠点および本発明の目的
プラスチックで射出成形されて、一般的にプラスチックブラシと呼ばれる数多くのマスカラアプリケータが知られており、これらは、化粧製品を睫毛または眉毛に運ぶと同時に睫毛または眉毛をコーミングするまたは分けるためのコアとともに成形された突出要素を有する。
【０００３】
互いにより合わせられ、繊維を把持する2つの金属アームによって形成されたコアを有するブラシを備える数多くのマスカラアプリケータもまた知られている。
【０００４】
ブラシの長さに沿って、実質的に非吸収性の剛毛または繊維の1つまたは複数のゾーンと互い違いになっている、綿繊維またはポリマー材料から作られるスポンジなどのマスカラ吸収材料の1つまたは複数のゾーンから構成される、より合わせたコアを持つマスカラブラシは、特許文献１から知られている。
【０００５】
ブラシの長さ全体に沿って、スポンジで作られた角度セクタと交互に繊維で形成される角度セクタを有するブラシもまた、特許文献２から知られている。
【０００６】
特許文献３は、アプリケータコアと、コアと組み立てられる前に3次元形状を有するフィンガーまたは繊維を支える少なくとも1つの弾性プレートを備える化粧製品アプリケータを開示する。
【０００７】
特許文献４は、毛髪に流体を塗布するためのワンドに着脱可能に取り付けることができる流体貯蔵器を有する流体分配ワンドを開示する。毛髪への流体の移動をもたらすためにワンドがくしのように毛髪をかき分けて移動され得るように、ワンド上に歯および/またはフィンが形成される。場合によっては流体の均一な分配をさらに強化するために、吸収剤被膜が、歯またはフィンの中間のワンドの上に形成されてもよい。
【０００８】
特許文献５は、液体の流れを遅らせるように計算された吸収剤材料の一片を備えたファウンテンコーム(fountain comb)に関する。
【０００９】
特許文献６は、多孔質材料を介して毛髪に治療剤を分配する能力を有するヘアスタイリングツールを対象とする。
【００１０】
特許文献７は、歯と、製品の貯蔵器と、歯の近くの製品を塗布するためのスポンジとを有するくしを開示する。
【００１１】
本発明の分野では、一般的に、睫毛、眉毛、および/または毛繊維が製品を十分に載せられると同時に、効果的かつ優しくそれらをコーミングすることを可能にするアプリケータを提供することが1つの目的である。現在、繊維の突出要素の長さが増加するとき、これらは塗布時により柔軟かつ快適になり、満足のいくコーミングをもたらす。しかしながら、アプリケータのコアは、繊維の突出要素の自由端からさらに離れて位置するので、睫毛、眉毛、および/または毛繊維に載せられる製品の量はより少ない。突出要素または繊維の長さが減少する場合、睫毛、眉毛、および/または毛繊維に載せられる製品の量はより多くなるが、突出要素または繊維は、それらの長さがより短いためにより堅くなり、これは、ケア製品またはカラーリング製品など、毛繊維用のメークアップおよび/または化粧製品を塗布時に、コーミングに関して、および使用者の体験に関して、満足できないものとなり得る。
【先行技術文献】
【特許文献】
【００１２】
【特許文献１】EP 1 129 641
【特許文献２】KR 200445344
【特許文献３】US 2015/0250293
【特許文献４】US 5 343 880
【特許文献５】US 1 059 282
【特許文献６】US 2008/0105270
【特許文献７】DE 828 902
【発明の概要】
【発明が解決しようとする課題】
【００１３】
とりわけ、睫毛または眉毛に製品を十分に載せること、および睫毛または眉毛を正確にコーミングすることによって睫毛または眉毛を満足のいくようにメークアップすることができるアプリケータを享受するために、睫毛、眉毛、および/または毛繊維に化粧製品を塗布するためのアプリケータを改善する必要がある。
【課題を解決するための手段】
【００１４】
アプリケータ
本発明は、この必要を満たそうと努め、本発明の主題は、その態様の1つでは、ケラチン物質、特にケラチン繊維、とりわけ睫毛、眉毛、および/または毛繊維用の化粧製品のアプリケータであり、このアプリケータは、
-  縦軸に沿って延びるコアと、
-  多孔質材料の少なくとも1つのブロックと、
-  コアから延び、多孔質材料を少なくとも部分的に通過する突出要素と
を備える。
【００１５】
本発明のおかげで、多孔質材料から構成される製品リザーブ(product reserve)と、睫毛、眉毛、および/または毛繊維をコーミングするための突出要素とを備えたアプリケータを享受することが可能である。
【００１６】
特定の一実施形態では、コアは、ポリマー材料で、とりわけ射出成形によって少なくとも部分的に作られる。この場合、突出要素の少なくとも一部は、有利には、たとえば歯の形状であるコアとともに射出成形によってポリマー材料で作られる。コアは、様々な形状を示してもよく、特に、とりわけ小さい円形断面のロッド、またはとりわけ少なくとも1次元により広がりのある支持部を形成してもよい。
【００１７】
代替として、コアは、互いにより合わせられた2本のアーム、とりわけ金属アームと、アーム間に把持された繊維を形成する突出要素の少なくとも一部とを備える。
【００１８】
コアは、多孔質材料の剛性よりも高い剛性を有する材料から作られる。コアの縦軸は、直線であっても、曲線であっても、少なくとも1つの角度を形成してもよい。
【００１９】
突出要素は、コアに沿って均一に、または非均一に分散されてもよい。
【００２０】
多孔質材料は、少なくとも45°から360°の間の角度範囲、とりわけ90°から360°の角度範囲にわたる断面でコアを囲んでもよい。コアが支持部を形成する場合は、多孔質材料は、コアの1つの面を少なくとも部分的に覆ってもよい。
【００２１】
アプリケータは、コアから延び、多孔質材料を少なくとも部分的に通過する突出要素に加えて、多孔質材料を通過しない追加の突出要素を備えてもよい。これらの追加の突出要素は、上記の突出要素と同じ材料から、または上記の突出要素とは異なる材料から作られる。たとえば、突出要素および追加の突出要素は、繊維を形成する。この場合、突出要素は、追加の突出要素の長さよりも短い長さを有してもよい。別の例によれば、突出要素および追加の突出要素は、とりわけコアとともに、ポリマー材料で射出成形によって製造された歯を形成してもよい。この場合、突出要素は、追加の突出要素と同一であってもよい。代替として、追加の突出要素は、突出要素の長さとは異なる長さを有してもよい。
【００２２】
コアから測定した、突出要素の高さは、好ましくは、コアから測定した、上記多孔質材料の少なくとも1つのブロックの厚さ以上である。コアから測定した、上記多孔質材料の少なくとも1つのブロックの厚さは、たとえば、コアから測定した突出要素の高さの10%から100%の間、とりわけ30%から100%の間、たとえば50%から100%の間である。この場合、突出要素は、とりわけコアとともに、ポリマーの射出成形によって形成されてもよく、たとえば歯を形成する。そのような実施形態では、多孔質材料は、アプリケータ上の製品の貯蔵器の増加をもたらして、製品のリザーブを形成すると同時に、突出要素は製品が塗布され、睫毛または眉毛がコーミングされることを可能にする。
【００２３】
コアから測定した、突出要素の高さは、1mmから10mmの間、より良くは約2mmから6mmの間であってもよい。たとえば、突出要素の高さは、1つの面に突出要素またはスパイクが付いたくしの場合、10mmであってもよい。
【００２４】
上記多孔質材料の少なくとも1つのブロックのコアから測定した厚さは、たとえば0.5mmから8mmの間、より良くは約1mmから5mmの間である。
【００２５】
多孔質材料は、有利には気泡質(cellular)である。気泡材料は、発泡体、とりわけ開放気孔のあるポリマー発泡体、半開放気孔のあるポリマー発泡体、または閉鎖気孔のあるポリマー発泡体などのポリマー発泡体、スポンジから選択されてもよい。
【００２６】
ポリマー発泡体の場合、後者は、たとえば、架橋ポリマー発泡体、特に架橋熱可塑性ポリマー、とりわけ架橋ポリウレタン、架橋ポリエーテル、架橋ポリエステル、または架橋ポリエチレンから選択される。
【００２７】
一般にポリマー発泡体は、気泡材料、またはポリマーから作られ、ポケットまたはセルを空間的にランダムな配向で囲む、中実の壁および/または中実のエッジコーナーを含む中実の骨格によって形成される3次元構造から構成される、ポケットのある材料を意味するものと理解されたい。セルの形状は、球形または多面体であってもよい。
【００２８】
ポリマー発泡体では、孔、すなわちセルまたはポケットによって作られる空隙のすべてである気孔率は、発泡体の全体積の70%を超える。
【００２９】
「開放気孔ポリマー発泡体」が意味するのは、この材料のセルが隣接セルに、および外側に開いているということである。この場合、発泡体の中実の骨格を形成するのは、セルを囲んでいるエッジコーナーのみである。中実の壁はない。
【００３０】
「閉鎖気孔のあるポリマー発泡体」では、セルは閉じており、壁によって互いから区切られている。「半開放気孔のあるポリマー発泡体」は、壁を含み、壁の少なくとも一部には壁を通過する少なくとも1つの開口がある。
【００３１】
ポリマー発泡体によって形成された気泡材料の場合、気泡材料を構成する単位長さ当たりの発泡セルの数(PPI)は、10PPIから80PPIの間、より良くは20PPIから50PPIの間であり、さらに良くは30PPIにほぼ等しい。より一般的にはPPI(Pores Per Inch)と呼ばれる単位長さ当たりのセルの数は、ポリマー発泡体を特徴づける。それは、1インチ(2.54cm)の長さで切り取られる孔、すなわちセルまたはポケットの数に対応する。
【００３２】
PPI値として単位長さ当たりのセルの数を測定するためには、図5で見ることができるように、単位長さ当たりのセルの数を視覚的に測定するための定規を使用することが可能である。10PPIはしたがって、1インチ当たり10セル、すなわち2.54cm当たり10セルに対応する。図5は、定規に沿って次々に置かれた6つの発泡体を示し、それぞれ8、10、15、20、25、および30PPIの異なるPPI値を示し、PPI値は図を下って増加している。
【００３３】
気泡材料、とりわけポリマー発泡体の密度は、たとえば、15kg/m3から60kg/m3の間、より良くは20kg/m3から40kg/m3の間であり、さらに良くは約30kg/m3に等しい。
【００３４】
単位長さ当たりの発泡セル(PPI)のそのような範囲および/または密度パラメータは、特に、マスカラ組成物などの化粧製品または毛繊維用の着色製品および/もしくはケア製品を塗布するための本発明によるアプリケータを使用する状況では有利である。
【００３５】
従来、マスカラ組成物は、特にRheomat RM100(登録商標)機器を用いて測定して、25℃で5Pa.sよりも大きい、とりわけ5Pa.sから50Pa.sの間である粘度を有する。
【００３６】
従来、そのようなマスカラ組成物は、一般的には組成物の総重量に対して重量で35%以上の量の固形分、粉末着色剤、特に1つまたは複数の顔料、とりわけ1つまたは複数の金属酸化物、たとえば1つまたは複数の酸化鉄、および有利には皮膜形成ポリマーを含む。また従来、マスカラ組成物は、特に組成物の総重量に対して重量で5から40%の間の総量の1つまたは複数のワックスを含む。
【００３７】
したがって、単位長さ当たりの発泡セル(PPI)のそのような範囲および/または密度は、5Pa.sから50Pa.sの間である、とりわけ9Pa.sから25Pa.sの間である粘度を有する化粧製品を保持する能力と、放出する能力との間で優れた妥協点を示すアプリケータを取得することを可能にする。
【００３８】
本発明によるアプリケータの製品保持能力は、特に、アプリケータの発泡体内に保たれた化粧製品が、重力を受けてこのアプリケータを通り抜けて流れるのを防止することを可能にし、したがって、そのようなアプリケータの清潔さおよび自律性を改善する。アプリケータの発泡体内に化粧製品を保持することは、特に、発泡体に存在するセルの内部で保たれる製品の表面張力によって実現される。
【００３９】
本発明によるアプリケータの製品放出能力は、特に、睫毛/眉毛および/または毛繊維がアプリケータと接触するとき、アプリケータの発泡体内に保たれた製品が、これらに載せられることを可能にする。アプリケータの発泡体内に保たれた化粧製品の放出は、特に睫毛、眉毛、および/または毛繊維を発泡体のセルと接触させ、この接触が、製品と発泡体のセルとの間にある表面張力を壊し、次いで製品が睫毛、眉毛、および/または毛繊維上に置かれることによって達成される。
【００４０】
多孔質材料は、代替的には、繊維、とりわけ綿、亜麻、麻、ジュート、竹、サイザル、ココナッツ繊維、モダールなどの植物繊維、ポリエステル、ポリウレタン、ビスコース、ポリアミド繊維などの合成繊維、または動物繊維、とりわけ羊毛、馬毛、絹、ならびにこれらの混合物を基にした材料の中から選択されてもよい。
【００４１】
多孔質材料が繊維を基にしている場合は、多孔質材料はマットまたはカーペットなどの織物、フェルト、詰め物、またはパッドなどの不織布、ニット、とりわけジャージ、ビーバーティン、ピケ、ジャカード、ベロア仕上げで適用可能な場合、ブークレ織物の形態をとってもよい。
【００４２】
さらに、上記で説明したように、本発明によるアプリケータの突出要素は、コアから外に、少なくとも部分的に発泡体を通過して延び、睫毛、眉毛、および/または毛繊維を優しくコーミングする、分ける、および/または伸ばすことを可能にする。
【００４３】
多孔質材料のブロックは、有利にはコアに取り付けられる。
【００４４】
多孔質材料のブロックがコアに取り付けられるやり方は、たとえば、接着、溶接、とりわけ超音波溶接、機械的接合(mechanical fastening)、とりわけ圧着によるもの、または1つもしくは複数の保持要素および/または保持ストップによるものから選択されるが、このリストは非限定的である。いくつかの取付け方法が、組み合わせて使用されてもよい。突出要素は、保持要素を構成してもよい。
【００４５】
特定の一実施形態では、多孔質材料は、とりわけ多孔質材料が発泡体であるとき、多孔質材料のブロックが滑り込む遠位部分を有するコアを用いて取り付けられてもよい。遠位部分は、フィルムヒンジなどの関節接合によって、コアの近位部分に接続される。遠位部分は次いで、近位部分の上に折り畳まれ、相補的レリーフが遠位部分を近位部分の上に維持する。遠位部分の「背面」または後部は、突出要素を設けられる。
【００４６】
アプリケータは、ステムを備えてもよく、コアはステムに取り付けられる。
【００４７】
パッケージングおよび塗布デバイス
上記と組み合わせて、本発明のさらなる主題は、とりわけ睫毛および/または眉毛および/または毛繊維に化粧製品をパッケージングおよび塗布するためのデバイスであって、
-  上記に定義されたアプリケータと、
-  塗布される化粧製品を収容する容器と
を備えるデバイスである。
【００４８】
アプリケータがステムを備え、コアがステムに取り付けられるとき、アプリケータのステムは、貯蔵器を閉じるキャップに固定されてもよい。
【００４９】
その場合、容器は、アプリケータが容器から引き出されるとき、少なくとも突出要素および/または多孔質材料を拭うための拭い取り部材を備えてもよい。
【００５０】
本発明は、非限定的例示的実施形態の次の詳細な説明を読むことにより、また添付の図面を調べることにより、よりよく理解できよう。
【図面の簡単な説明】
【００５１】
【図１】本発明によるパッケージングおよび塗布デバイスの一例を概略的縦断面で示す図である。
【図２】分離して見た、図1のアプリケータの概略的側面図である。
【図３】上からの、図2のアプリケータの図である。
【図４】本発明によるアプリケータ用の多孔質材料として使用することができる発泡体の一例の拡大図である。
【図５】異なるPPI値を示す発泡体のいくつかのブロックおよびこれらの値を測定するための方法を示す概略図である。
【図６】本発明によるアプリケータの別の例を概略的に示す側面図である。
【図７】本発明によるアプリケータの別の例を概略的に示す側面図である。
【図８】本発明によるアプリケータの別の例を概略的に示す側面図である。
【図９】図8のIX断面図である。
【図１０】多孔質材料のブロックをアプリケータの残部に取り付ける前の、本発明によるアプリケータの別の例の概略側面図である。
【図１１】図10の例の矢印XIの方向における上からの概略図である。
【図１２】多孔質材料のブロックがアプリケータの残部に取り付けられ、アプリケータが完成した後の、図10および図11のアプリケータの概略側面図である。
【発明を実施するための形態】
【００５２】
残りの説明では、同一要素または同等機能を有する要素が、同じ参照符号をもつ。それらの説明は、図の各々について繰り返されず、実施形態間の主要な違いのみが強調される。
【００５３】
図1に示すパッケージングおよび塗布デバイス1は、睫毛または眉毛に塗布される製品Pを収容する容器2と、当該の例では容器2に着脱可能に取り付けられ得るアプリケータシステム3とを備える。製品Pは、たとえば、1つまたは複数の顔料、とりわけ酸化鉄を含む。製品Pは、好ましくはマスカラである。
【００５４】
アプリケータシステム3は、この例では、縦軸Yのステム5を備え、このステム5は、遠位端5aに本発明によるアプリケータ10を設けられ、他端にグリップ部材11が設けられ、グリップ部材11はまた、密閉して容器2を閉じるためのキャップを形成する。とりわけ図1でわかるように、上記容器は、上部にねじ山付きネック14を設けられた本体13を備え、容器2を密閉して閉じるために、ねじ山付きネック14にグリップ部材11をねじ込むことができる。代替として、アプリケータシステムは、他の何らかの方法で容器に取り付けられてもよい。
【００５５】
図示のように、ネック14は、たとえばその中に取り付けられる拭い取り部材20を受けることができる。この拭い取り部材20は、ステム5の直径に適合する直径を有する拭い取り穴(wiping orifice)を定めるリップ26を有する。
【００５６】
アプリケータ10は、有利には熱可塑性材料から作られたステム5の遠位端5aに設けられたハウジングに、従来の方法で取り付けられてもよい。
【００５７】
アプリケータ10は、この例では、縦軸Xに沿って延びるコア40を備える。コア40の近位端部41は、ステム5に接続され、中央部に屈曲44を有する。したがって、この近位端部41は、一方の側42でコア40の直線部の端部まで延び、反対の他方の側43で、縦軸Yに平行にステム5に接続される。縦軸Xは、近位端部41で屈曲の2つの角を形成する。
【００５８】
アプリケータ10はまた、多孔質材料47のブロック46と、コア40から延び、少なくとも部分的に、この例では全体的に多孔質材料47を通過する突出要素48とを含む。
【００５９】
この例のコア40は、厚さ約3mmの支持部を形成し、突出要素48を受ける面45を有する。コア40は、面45とは反対側の、突出要素を設けられない滑らかな面52を有する。コア40は、歯の形をしている突出要素48とともに射出成形によって熱可塑性ポリマーで作られる。突出要素48は、したがってそれらの底面でコアの面45に接続される。突出要素48は、平行な列で、一様に配置され、すべて互いと同じである。
【００６０】
多孔質材料47のブロック46は、実質的に直方体形状を有する。多孔質材料47のブロック46は、この例では溶接によって、特に超音波溶接によって、コア40に取り付けられる。代替としてまたは追加として、接着によってコア40に取り付けられる多孔質材料47のブロック46を設けてもよい。
【００６１】
コア40から測定される突出要素48の高さhは、この例では厚さ約3mmであり、すなわち実質的に、この例では約1.5mmを測定する多孔質材料47のブロック46の厚さeの2倍に等しい。アプリケータ10は、そのために化粧製品P用の塗布要素30を備え、塗布要素30は突出要素48および多孔質材料47によって形成される。
【００６２】
したがって、本発明のおかげで、比較的長い、ゆえに柔軟な突出要素48を備え、睫毛または眉毛を通して優しく、効果的にコーミングすることができると同時に、突出要素48の自由端51から少し離れて多孔質材料47によって形成された製品リザーブを享受することができるアプリケータを有することが可能である。
【００６３】
図4は、多孔質材料47として使用することができる発泡体の一例の拡大図である。この例のこの多孔質材料47は、開口気孔のある架橋ポリマー発泡体で形成される気泡質のものであり、これは、エッジコーナー50によってのみ互いから区切られる製品リザーブを構成する多面体または球形セル49を形成することを意味する。多孔質材料47のブロック46が、閉鎖気孔または半開放気孔のある発泡体で作られる、またはたとえばとりわけ綿もしくはフェルトのインターレーシングの形をとる繊維材料など、別の多孔質材料から作られる場合、それは本発明の範囲から逸脱しない。
【００６４】
図1から図3に示す例では、多孔質材料47は、開放気孔のある架橋熱可塑性ポリマー発泡体、とりわけ架橋ポリウレタン(PUR)から作られる気泡材料である。気泡材料の密度は、約30kg/m3であり、単位長さ当たりのセル49数は、約30PPIである。
【００６５】
例として、(規格ISO 1855による)密度29kg/m3(+または-3kg/m3)の黒色に着色したポリエステルポリウレタン発泡体を代替的に使用してもよい。例として、そのような材料のPPI値は、20PPIであってもよい。この場合、(規格ISO 3386/1による)耐荷重能力は3.7kPa(+または-1)であり、(規格ISO 1798による)破断点伸びは120%よりも大きく、引張強度(規格ISO 1798による)は80kPaよりも大きい。PPI値は、30PPIであってもよい。この場合、(規格ISO 3386/1による)耐荷重能力は3.7kPa(+または-1)であり、(規格ISO 1798による)破断点伸びは150%よりも大きく、引張強度(規格ISO 1798による)は95kPaよりも大きい。PPI値はさらに、45PPIに等しくてもよい。この場合、(規格ISO 3386/1による)耐荷重能力は3.8kPa(+または-1)であり、(規格ISO 1798による)破断点伸びは180%よりも大きく、引張強度(規格ISO 1798による)は100kPaよりも大きい。PPI値はさらに、60PPIに等しくてもよい。この場合、(規格ISO 3386/1による)耐荷重能力は4.2kPa(+または-1)であり、(規格ISO 1798による)破断点伸びは200%よりも大きく、引張強度(規格ISO 1798による)は140kPaよりも大きい。PPI値はまた、80PPIであってもよい。この場合、(規格ISO 3386/1による)耐荷重能力は4.2kPa(+または-1)であり、(規格ISO 1798による)破断点伸びは230%よりも大きく、引張強度(規格ISO 1798による)は170kPaよりも大きい。当然、中間PPI値が可能である。
【００６６】
図6は、繊維55で形成される突出要素48を捕捉する、互いにより合わせられた2本の金属アームで形成されたコア40を備える、本発明によるアプリケータ10の別の例を示す。コア40は、したがって、近位の第1のゾーン56において断面では突出要素48によって完全に囲まれたロッドを形成する。近位の第1のゾーン56の次に配置される遠位の第2のゾーン57もまた、コア40のより合わせた金属アーム間に捕捉された繊維で同様に形成された追加の突出要素58を備える。近位の第1のゾーン56では、アプリケータ10は、断面ではコアを完全に囲み、繊維55の高さに実質的に等しい厚さを有する多孔質材料47のブロック46を備える。この例ではアプリケータ10の塗布要素30は、突出要素48、多孔質材料47、および追加の突出要素58によって形成される。この例の塗布要素30の形状は、卵形である。この例でもまた、コア40の縦軸Xは、直線である。
【００６７】
塗布要素30の外面60は、様々な形状を有してもよい。外面は、たとえば、円筒形、オジーブ形、卵形、ラグビーボール形、円錐台形、円錐形、双円錐形、ピーナッツ形、ディアボロ形、軸対称を示す形、軸対称のない形、レリーフ、とりわけノッチ、溝、リブ、スロット付きの形、およびこれらの形の組合せからなる群れから選択された全体的な形状を示してもよい。
【００６８】
図7に示すアプリケータ10は、縦軸Xが湾曲していることが可能であることを示す。さらに、コア40が熱可塑性ポリマーの射出成形によって製造されたこの例では、突出要素48は、互いから等距離ではなく、グループ71になって配置される。コア40は、近位端および遠位端にそれぞれ端止め72および73を形成する。
【００６９】
図7のアプリケータは、図1から図3のアプリケータと同様に、くしに分類されてもよい。
【００７０】
図8および図9の例では、コア40は、同じく、突出要素48とともに熱可塑性ポリマーの射出成形によって形成されるが、円形ブラシの形状であり、図9でわかるように、断面では突出要素48がコア40を完全に囲んでいる。多孔質材料47のブロック46もまた、断面ではコア40を完全に囲む。
【００７１】
図10から図12の実施形態では、多孔質材料47のブロック46は、とりわけこれが発泡体であるとき、遠位部分80を有するコア40を用いて取り付けられる。多孔質材料47のブロック46は、2つの平行な矢印で示すように、この実施形態ではブロック46の実質的に中心にある縦の貫通開口81を通して、または直接多孔質材料47のブロック46を通して、この遠位部分80に滑り込む。遠位部分80は、関節接合83、この例ではフィルムヒンジによって、コア40の近位部分82に接続される。遠位部分80は次いで、曲線の矢印によって示すように、近位部分82の上に折り畳まれ、遠位部分80および近位部分82にそれぞれある相補的レリーフ84および85が、遠位部分80を近位部分82の上に維持する。図示した例では、遠位部分80にあるレリーフ84は穴であり、それらのうちの3つが、近位部分82の突出したレリーフ85を補完する。それらの自由端のレリーフ85は、図12に示すように、遠位部分80を近位部分82に固定し、多孔質材料47のブロック46の一部を捕捉するようにしてレリーフ85が穴に留められることを可能にするビードを有する。遠位部分80の後部または背面は、多孔質材料、とりわけ発泡体のブロック46から突き出す突出要素48を設けられる。
【符号の説明】
【００７２】
1  デバイス
2  容器
3  アプリケータシステム
5  ステム
10  アプリケータ
11  グリップ部材
13  本体
14  ねじ山付きネック
20  拭い取り部材
26  リップ
30  塗布要素
40  コア
41  近位端部
44  屈曲
45  面
46  ブロック
47  多孔質材料
48  突出要素
49  セル
52  面
55  繊維
56  第1のゾーン
57  第2のゾーン
58  追加の突出要素
60  外面
72  端止め
73  端止め
80  遠位部分
81  貫通開口
82  近位部分
83  関節接合
84  レリーフ
85  レリーフ
【図１】
2020536681.tif 000003
【図２】
2020536681.tif 000004
【図３】
2020536681.tif 000005
【図４】
2020536681.tif 000006
【図５】
2020536681.tif 000007
【図６】
2020536681.tif 000008
【図７】
2020536681.tif 000009
【図８】
2020536681.tif 000010
【図９】
2020536681.tif 000011
【図１０】
2020536681.tif 000012
【図１１】
2020536681.tif 000013
【図１２】
2020536681.tif 000014
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
ケラチン物質、特にケラチン繊維、とりわけ睫毛、眉毛、および/または毛繊維用の化粧製品(P)のアプリケータ(10)であって、
-  縦軸(X)に沿って延びるコア(40)と、
-  多孔質材料(47)の少なくとも1つのブロック(46)と、
-  前記コア(40)から延び、前記多孔質材料(47)を少なくとも部分的に通過する突出要素(48)と、
を備える、アプリケータ。
【請求項２】
前記コア(40)が、とりわけ射出成形によって、少なくとも部分的にポリマー材料で作られ、好ましくは前記突出要素(48)の少なくとも一部が、好ましくはポリマー材料で、とりわけ前記コア(40)とともに射出成形によって製造される、請求項1に記載のアプリケータ。
【請求項３】
前記コアが、互いにより合わせられた2本のアーム、とりわけ金属アームと、前記アーム間に把持された繊維(55)を形成する前記突出要素(48)の少なくとも一部とを備える、請求項1に記載のアプリケータ。
【請求項４】
前記多孔質材料(47)が、少なくとも45°から360°の間の角度範囲、とりわけ90°から360°の角度範囲にわたる断面で前記コアを囲む、請求項1から3のいずれか一項に記載のアプリケータ。
【請求項５】
前記コア(40)が、支持部を形成し、前記多孔質材料(47)が、前記コア(40)の1つの面(45)を少なくとも部分的に覆う、請求項1から4のいずれか一項に記載のアプリケータ。
【請求項６】
前記多孔質材料を通過しない追加の突出要素(58)を備える、請求項1から5のいずれか一項に記載のアプリケータ。
【請求項７】
前記コア(40)から測定した、前記突出要素(48)の高さ(h)が、前記コアから測定した、多孔質材料(47)の前記少なくとも1つのブロック(46)の厚さ(e)以上である、請求項1から6のいずれか一項に記載の方法。
【請求項８】
前記コア(40)から測定した、前記突出要素(48)の高さ(h)が、1mmから10mmの間、より良くは約2mmから6mmの間である、請求項1から7のいずれか一項に記載のアプリケータ。
【請求項９】
多孔質材料(47)の前記少なくとも1つのブロック(46)の前記コア(40)から測定した厚さ(e)が、0.5mmから8mmの間、より良くは約1mmから5mmの間である、請求項1から8のいずれか一項に記載のアプリケータ。
【請求項１０】
前記多孔質材料(47)が気泡質である、請求項1から9のいずれか一項に記載のアプリケータ。
【請求項１１】
前記多孔質材料(47)が、発泡体、とりわけポリマー発泡体、特に開放気孔のあるポリマー発泡体、半開放気孔のあるポリマー発泡体、または閉鎖気孔のあるポリマー発泡体から選択され、好ましくは前記ポリマー発泡体が、特に架橋熱可塑性ポリマー、とりわけ架橋ポリウレタン、架橋ポリエーテル、架橋ポリエステル、または架橋ポリエチレンの架橋ポリマー発泡体から選択され、前記多孔質材料(47)を構成する単位長さ当たりの発泡セル(49)の数(PPI)が、好ましくは10PPIから80PPIの間、より良くは20PPIから50PPIの間であり、さらに良くは30PPIにほぼ等しく、前記多孔質材料(47)の密度が、好ましくは15kg/m3から60kg/m3の間、より良くは20kg/m3から40kg/m3の間であり、さらに良くは30kg/m3にほぼ等しい、請求項1から10のいずれか一項に記載のアプリケータ。
【請求項１２】
多孔質材料(47)の前記ブロック(46)が前記コア(40)に取り付けられ、多孔質材料(47)の前記ブロック(46)が前記コア(40)に取り付けられるやり方が、好ましくは、接着、溶接、オーバーモールド、および機械的接合から選択される、請求項1から11のいずれか一項に記載のアプリケータ。
【請求項１３】
前記多孔質材料(47)が、多孔質材料(47)の前記ブロック(46)が滑り込む遠位部分(80)を有するコア(40)を用いて取り付けられ、前記遠位部分(80)が、フィルムヒンジなどの関節接合(83)によって前記コア(40)の近位部分(82)に接続され、前記遠位部分(80)が次いで、前記近位部分(82)の上に折り畳まれ、相補的レリーフ(84、85)が前記遠位部分(80)を前記近位部分(82)の上に維持し、前記遠位部分(80)の後部に前記突出要素(48)が設けられている、請求項1から12のいずれか一項に記載のアプリケータ。
【請求項１４】
ステム(5)を備え、前記コア(40)が前記ステム(5)に取り付けられる、請求項1から13のいずれか一項に記載のアプリケータ。
【請求項１５】
睫毛および/または眉毛、および/または毛繊維に化粧製品(P)をパッケージングおよび塗布するためのデバイス(1)であって、
-  請求項1から14のいずれか一項に記載のアプリケータ(10)と、
-  塗布される前記化粧製品(P)を収容する容器(2)と、
を備え、
好ましくは前記アプリケータがステムを備え、前記コア(40)が前記ステム(5)に取り付けられ、前記アプリケータ(10)の前記ステム(5)が、前記容器(2)を閉じるキャップ(11)に固定され、その場合、前記容器(2)は好ましくは、前記アプリケータ(10)が前記容器(2)から引き出されるとき、少なくとも前記突出要素(48)および/または前記多孔質材料(47)を拭うための拭い取り部材(20)を備える、デバイス。
【国際調査報告】
2020536681.tif 000015
2020536681.tif 000016
2020536681.tif 000017